(57)【要約】【課題】  既設水路の内壁面とライニング板との間に設ける充填材注入用の隙間を形成する際の作業工数を減らして工期の短縮化を図るとともに、作業性、信頼性および耐久性のいずれにも優れた水路のライニング工法を提供する。【解決手段】  本発明のライニング工法は、複数のスペーサ部２１が所定間隔で凸設されたライニング板２を、各スペーサ部２１が水路１の内壁面１１に当接するように添設して、ライニング板２と内壁面１１との間に充填材注入用の隙間を形成する工程を含み、これらのスペーサ部２１を内壁面１１に固定し、前記隙間に充填材を充填して内壁面１１をライニングする。【選択図】  図１
2005290849.tif 000002
【特許請求の範囲】
【請求項１】
既設水路の内壁面にライニング板を張設することで水路を補修するライニング工法において、
複数のスペーサ部が所定間隔で凸設されたライニング板を、各スペーサ部が水路の内壁面に当接するように添設して、ライニング板と内壁面との間に充填材注入用の隙間を形成する工程を含み、これらのスペーサ部を内壁面に固定し、前記隙間に充填材を充填して内壁面をライニングすることを特徴とする水路のライニング工法。
【請求項２】
ライニング板は水路の断面形状により複数枚に分割して構成され、隣接するライニング板同士の一方の端縁は他方の端縁に係合しうるように形成されて、この係合部を固定部材で止着してライニング板を張設することを特徴とする請求項１に記載の水路のライニング工法。
【請求項３】
ライニング板には断面鉤型の定着部材が凸設され、ライニング板と内壁面との間に注入した充填材を定着させることを特徴とする請求項１又は２に記載の水路のライニング工法。
【発明の詳細な説明】
【技術分野】
【０００１】
本発明は農業用水、下水道、工業用水などの既設水路の内壁面を補修するためのライニング工法に関する。
【背景技術】
【０００２】
経年使用により凹凸やクラックの発生した既設水路の内壁面を補修する技術として、例えば特許文献１に開示されているように、ＦＲＰ板でライニングする工法がある。
【０００３】
この工法では、まず、既設水路の内壁面にドリルで穴を複数箇所に穿設し、接着剤を挿入してアンカーボルトを固着する。次に、これらのアンカーボルトに、固定部材としてリップ型鋼（または開口部を板材で溶接した溝型鋼）をナットで取り付け、水路の内壁面に固定する。そして、固定したリップ型鋼の上にＦＲＰ板を皿ボルトで取り付ける。ＦＲＰ板同士が当接する出隅には、別途、断面Ｌ型の長尺材を螺着して処理する。さらに、ＦＲＰ板にセメントミルク注入用の孔を複数箇所に穿設して、リップ型鋼で区切られたＦＲＰ板と内壁面との間の各段にセメントミルクを充填・打設し、内壁面をライニングするものである。
【０００４】
かかるライニング工法は、ＦＲＰ板が軽量であるので運搬などの作業性がよく、ＦＲＰ板の粗度係数も小さいので、補修後、水が流れやすいなどの利点はあった。
【特許文献１】特公平６−１９１３２号公報
【発明の開示】
【発明が解決しようとする課題】
【０００５】
前記従来のライニング工法によれば、ＦＲＰ板を固定するためのリップ型鋼を水路の内壁面に固定する前に、各リップ型鋼が所定高さに取り付けられるようにアンカーボルト打ち込み箇所の位置出しをする必要がある。しかし、前記のように、既設水路の内壁面には凹凸やクラックが発生しているので、このような位置出しは困難な作業であるとともに、リップ型鋼のような長尺体を内壁面の同一高さに固定するには、凹凸に対応するように各種厚みの調整板を内壁面とリップ型鋼との間に挟み込んで固定位置を調整しなければならない。加えて、かかるリップ型鋼の固定作業も、作業工数および部品点数ともに多く、手間がかかって作業性が非常に悪いうえに、コストもかさむ。
【０００６】
加えて、かかるライニング工法は、水路の内壁面とＦＲＰ板との間に固定部材を介在し、その固定部材にはアンカーボルトやねじが打ち込まれるため、そのための強度や作業スペースを確保しなければならず、水路内面とＦＲＰ板との間の隙間を広くしなければならない。このように水路内面とＦＲＰ板の間隙が広くなれば、流水面積が低下し好ましくない。
【０００７】
本発明は、このような事情にかんがみてなされたものであり、既設水路の内壁面とライニング板との間に設ける充填材注入用の隙間を形成する際の作業工数を減らして工期の短縮化を図るとともに、作業性、信頼性および耐久性のいずれにも優れた水路のライニング工法を提供することを目的としている。
【課題を解決するための手段】
【０００８】
前記の課題を解決するために、本発明は既設水路の内壁面にライニング板を張設することで水路を補修するライニング工法において、複数のスペーサ部が所定間隔で凸設されたライニング板を、各スペーサ部が水路の内壁面に当接するように添設して、ライニング板
と内壁面との間に充填材注入用の隙間を形成する工程を含み、これらのスペーサ部を内壁面に固定し、前記隙間に充填材を充填して内壁面をライニングすることを特徴とする。
【０００９】
この発明によれば、所定間隔でスペーサ部が凸設されたライニング板を水路の内壁面に添設してスペーサ部を内壁面に固定するだけで、充填材注入用の隙間を形成することができ、従来の工法にあったような固定部材を取り付けるための位置出し作業や固定部材の取付作業等を簡略化することができ、作業性を格段に向上させることができるとともに、部品点数も減らすことができる。なお、本発明に係るライニング工法を適用できる既設水路は、例えば断面矩形状や断面Ｕ字状に形成された開水路など、どのような形状のものであってもよい。
【００１０】
また、本発明は前記ライニング工法において、ライニング板が水路の断面形状により複数枚に分割して構成され、隣接するライニング板同士の一方の端縁は他方の端縁に係合しうるように形成されて、この係合部を固定部材で止着してライニング板を張設することを特徴としている。
【００１１】
本発明のライニング工法によれば、ライニング板が水路の断面形状により複数枚に分割して構成されているので、補修する水路の断面形状に合わせて内壁面をライニングすることが容易であり、隣接するライニング板同士は係合部を係合させて接合すればよいので、別途ライニング板を接合するための長尺材を用意して取り付ける作業が不要となり、工期を短縮することができる。
【００１２】
また、本発明では、ライニング板には断面鉤型の定着部材が凸設されているので、ライニング板と内壁面との間に注入した充填材を定着させることができ、ライニング板の膨らみを抑えて補修後の水路の耐久性を高めることができる。
【発明の効果】
【００１３】
本発明のライニング工法は、既設水路の内壁面にライニング板を添設すると同時に、ライニング板と内壁面との間に充填材注入用の隙間を形成することができるので、作業性の向上と大幅な工期の短縮を望めるだけでなく、補修に使用する部品点数も減らすことができる。
【発明を実施するための最良の形態】
【００１４】
本発明に係る水路のライニング工法には、既設水路の内壁面にライニング板を張設することで水路を補修していく工程において、ライニング板には複数のスペーサ部が所定間隔で凸設されており、このライニング板を各スペーサ部が水路の内壁面に当接するように添設して、ライニング板と内壁面との間にモルタル等の充填材注入用の隙間を形成する工程が含まれている。そして、これらのスペーサ部を内壁面に固定して、形成されている隙間に充填材を注入して充填材層を形成してライニング板を内壁面に張設し、当該水路を補修する構成である。
【００１５】
この構成において、ライニング板は補修する水路の断面形状により複数枚に分割して形成されている。ライニング板の端縁には、隣接するライニング板同士で係合しうるように係合部が形成されている。そして、隣接するライニング板の一方のライニング板の端縁が、他方のライニング板の端縁に係合し、この係合部を固定部材で止着して、水路の内壁面に複数枚のライニング板を連続的に張設していく。
【００１６】
また、かかるライニング板には、内壁面に当接する面に断面鉤型の定着部材が凸設されているので、ライニング板と内壁面との間に注入した充填材を定着させることができるようになっている。
【００１７】
なお、ライニング板と水路の内壁面との間の充填材層の厚みは、内壁面の凹凸を解消し、かつ充填材を打込める程度の厚みがあれば十分である。したがって、ライニング板に形成されるスペーサ部の突出量も、補修される水路ごとに、その水路の大きさや内壁面の凹凸発生の程度等により適宜選択される。
【００１８】
充填材には、例えばモルタル、発泡性樹脂等を使用することができる。また、ライニング板には、例えばＦＲＰ、ＦＲＰＭ、ＦＦＵ（ガラス繊維補強された発泡ウレタン樹脂成形品）等の繊維強化樹脂製の板材を使用することが好ましい。
【実施例】
【００１９】
以下、本発明に係る水路のライニング工法の一実施例について、図１〜図３を参照しつつ説明する。図１は本発明のライニング工法による補修後の水路を示す断面図、図２は補修中の水路を示す断面図、図３は図２の水路の内側を示す側面図である。
【００２０】
例示の水路１は、断面略Ｕ字状で幅が約７０ｃｍ、深さが約６０ｃｍの農業用水路である。ライニング板２は、長さ約２ｍ程度で形成されて、水路１の内壁面１１を複数枚に分割して覆うように形成されている。ライニング板２に設けられているスペーサ部２１は、ライニング板２の外側（内壁面１１に当接する側）から見て円錐台形状に約２．５ｃｍ突出して一体成形されている。また、ライニング板２の内側（流水と接する面側）から見ると、スペーサ部２１は逆円錐台形状の凹部となるように形成されている。このようなスペーサ部２１の中央には、アンカーボルト挿通用の緊結穴（図示省略）が設けられている。
【００２１】
ライニング板２の添設は、水路１の底部から順に行う。図示するように、底面に添設するライニング板２は、水路１の底部の形状に合わせて成形され、底面に沿う平板状の部分と、隅部に沿う曲面状の部分とから構成されている。かかるライニング板２を、平板状の部分に設けられたスペーサ部２１が水路１の底面に当接するように添設する。これにより、水路１の底部とライニング板２との間には充填材注入用の隙間が形成される。
【００２２】
また、底部に添設するライニング板２は、前記のように左右の隅部に沿う形状のライニング板２ａ，２ｂに加えて、これら左右のライニング板２ａ，２ｂを接合しうる中央部のライニング板２ｃとに三分割されたものであってもよい。このように構成することで、左右のライニング板２ａ，２ｂの大きさは一定のまま中央部のライニング板２ｃの幅を選択し、異なる水路幅に対応することができる。この場合には、左右のライニング板２ａ，２ｂを隅部に沿う位置に配置したのち、中央部のライニング板２ｃを左右のライニング板２ａ，２ｂの端縁の係合部２２に係合させて添設する。そして、このようなライニング板２同士の係合部２２に固定ピン２３等の固定部材を打ち込み、止着する。
【００２３】
次に、添設したライニング板２と内壁面１１とを、スペーサ部２１の凹部内で緊結穴を介してアンカーボルト２４およびナット２５で緊結する。このアンカーボルト２４の軸部２４１には、ライニング板２を水路１の内側から支持する支保材３の保持部２４２が備えられている。例示の形態では、支保材３は、ライニング板２の上に角材３１を配置し、さらにその上にパイプ３２を２本ずつ直交して配置し、これらの角材３１およびパイプ３２を保持部２４２が内壁面１１方向に締め付けて、アンカーボルト２４で緊結した構成となっている。
【００２４】
かかるアンカーボルト２４は、内壁面１１にアンカー打込み用の下穴を穿設し、この下穴をブロワ等で清掃した後、下穴に打ち込まれ、内壁面１１に緊結される。例示の形態では、アンカーボルト２４は打込みによって先端部が拡張する金属系アンカーを用いているが、下穴に充填した接着剤によって固着する接着系アンカーを用いてもよい。
【００２５】
続いて、水路１の側面にライニング板２を添設する。側面においても、前記と同様にスペーサ部２１が水路１の内壁面１１に当接するようにライニング板２を添設して、ライニング板２と内壁面１１との間に充填材注入用の隙間を形成する。そして、これらのスペーサ部２１をアンカーボルト２４およびナット２５で内壁面１１に緊結する。さらに、アンカーボルト２４の軸部２４１に、角材３１およびパイプ３２を挟み込んだ保持部２４２を締め付ける。
【００２６】
このような手順を繰り返し、複数枚のライニング板２を水路１の内壁面１１に添設した後、ライニング板２と内壁面１１との間の隙間にモルタルを注入する。ライニング板２と内壁面１１との隙間にはスペーサ部２１が点在するだけであるので、ライニング板２の上縁部からスムーズにモルタルが流れ込み、容易にモルタル層２６を形成することができる。このとき、ライニング板２は支保材３によって内壁面１１方向に支持されているので、モルタルの注入圧が加わっても膨らみやずれを生じることがない。
【００２７】
モルタル養生後、ライニング板２を保持していた支保材３を取り除き、スペーサ部２１の凹部内に緊結されているナット２５近傍の破断溝でアンカーボルト２４の軸部２４１を破断する。スペーサ部２１の凹部内には、さらにモルタル等を充填してアンカーボルト２４およびナット２５を埋込み、ライニング板２の表面レベルを揃える。
【００２８】
ライニング板２には断面鉤型の定着部材２７が側面と隅部に凸設されているので、モルタルの定着を図ることができる。また、ライニング板２の上縁部およびモルタル層２６の上部には、カバー部材２８を配設して保護することが好ましい。
【００２９】
以上のように、本発明の水路のライニング工法によれば、
なお、本発明に係るライニング工法は、この実施例の工程を経て行うものに限られず、前記のスペーサ部２１が水路１の内壁面１１に当接するようにライニング板２を添設して、ライニング板２と内壁面１１との間に充填材注入用の隙間を形成する工程を含むものであれば、その他の工程はどのような手順で行われてもよく、本発明の効果を得ることができる。
【産業上の利用可能性】
【００３０】
本発明は農業用水、下水道、工業用水などの既設の開水路の内壁面を短期間で補修するために好適に利用することができる。
【図面の簡単な説明】
【００３１】
【図１】本発明に係る水路のライニング工法による補修後の水路を示す断面図である。
【図２】本発明に係る水路のライニング工法による補修中の水路を示す断面図である。
【図３】図２の水路の内側を示す側面図である。
【符号の説明】
【００３２】
１    水路
１１  内壁面
２    ライニング板
２１  スペーサ部
２２  係合部
２３  固定ピン
２４  アンカーボルト
２５  ナット
２７  定着部材
３    支保材
３１  角材
３２  パイプ
【図１】
2005290849.tif 000003
【図２】
2005290849.tif 000004
【図３】
2005290849.tif 000005